(57)【特許請求の範囲】
【請求項１】
物体側から像側へ順に、ズーミングのためには移動しない正の屈折力の第１レンズ群と、ズーミングのために移動する負の屈折力の第２レンズ群と、ズーミングのために移動する正の屈折力の第３レンズ群と、ズーミングのために移動する正の屈折力の第４レンズ群と、ズーミングのためには移動しない第５レンズ群とからなるズームレンズであって、
ズーミングのために、互いに隣り合う２つのレンズ群の組それぞれの間隔が変化し、
前記第１レンズ群は、物体側から像側へ順に、フォーカシングのためには移動しない第１ａレンズ群と、無限遠物体から近距離物体へのフォーカシングのために像側から物体側へ移動する第１ｂレンズ群とから構成され、
前記第１ａレンズ群は、２枚の正レンズと、２枚の負レンズ２枚とを有する、
ことを特徴とするズームレンズ。
【請求項２】
物体側から像側へ順に、ズーミングのためには移動しない正の屈折力の第１レンズ群と、ズーミングのために移動する負の屈折力の第２レンズ群と、ズーミングのために移動する正の屈折力の第３レンズ群と、ズーミングのためには移動しない第４レンズ群とからなるズームレンズであって、
ズーミングのために、互いに隣り合う２つのレンズ群の組それぞれの間隔が変化し、
前記第１レンズ群は、物体側から像側へ順に、フォーカシングのためには移動しない第１ａレンズ群と、無限遠物体から近距離物体へのフォーカシングのために像側から物体側へ移動する第１ｂレンズ群とから構成され、
前記第１ａレンズ群は、２枚の正レンズと、２枚の負レンズ２枚とを有し、
前記第１レンズ群の焦点距離をｆ１とし、前記第２レンズ群の焦点距離をｆ２として、
６．００＜｜ｆ１／ｆ２｜＜１３．００
なる条件式を満足する、
ことを特徴とするズームレンズ。
【請求項３】
前記２枚の負レンズのうち、物体側に配置された負レンズの焦点距離およびアッベ数をそれぞれｆｎ１およびνｎ１とし、像側に配置された負レンズの焦点距離およびアッベ数をそれぞれｆｎ２およびνｎ２として、
０．３０＜ｆｎ１／ｆｎ２＜２．５０
０．３０＜νｎ１／νｎ２＜２．７０
なる条件式を満足することを特徴とする請求項１または請求項２に記載のズームレンズ。
但し、アッベ数νｄは、Ｆ線おける屈折率をＮＦとし、ｄ線における屈折率をＮｄとし、Ｃ線における屈折率をＮＣとして、次式で表される。
νｄ＝（Ｎｄ−１）／（ＮＦ−ＮＣ）
【請求項４】
前記２枚の負レンズのうち、物体側に配置された負レンズの焦点距離をｆｎ１とし、像側に配置された負レンズの焦点距離をｆｎ２とし、前記第１レンズ群の焦点距離をｆ１として、
１．３０＜｜ｆｎ１／ｆ１｜＜５．００
１．５０＜｜ｆｎ２／ｆ１｜＜６．００
なる条件式を満足することを特徴とする請求項１ないし請求項３のうち何れか１項に記載のズームレンズ。
【請求項５】
前記第１ａレンズ群を構成する正レンズのアッベ数の平均値および部分分散比の平均値をそれぞれνｐａおよびθｐａとし、前記第１ａレンズ群を構成する最もアッベ数の大きい負レンズのアッベ数および部分分散比をνｎｘおよびθｎｘとして、
−０．５０５００×１０−３＜（θｐａ−θｎｘ）／（νｐａ−νｎｘ）＜０．２００００×１０−３
なる条件式を満足することを特徴とする請求項１ないし請求項４のうち何れか１項に記載のズームレンズ。
但し、部分分散比θは、ｇ線における屈折率をＮｇとして、次式で表される。
θ＝（Ｎｇ−ＮＦ）／（ＮＦ−ＮＣ）
【請求項６】
前記第１レンズ群の焦点距離をｆ１とし、前記第２レンズ群の焦点距離をｆ２として、
６．００＜｜ｆ１／ｆ２｜＜１３．００
なる条件式を満足することを特徴とする請求項１に記載のズームレンズ。
【請求項７】
前記第１レンズ群の焦点距離をｆ１とし、前記第１ａレンズ群を構成する正レンズの合成焦点距離をｆｐａとし、前記第１ａレンズ群を構成する負レンズの合成焦点距離をｆｎａとして、
０．７５＜｜ｆｎａ／ｆｐａ｜＜１．３０
１．００＜｜ｆｎａ／ｆ１｜＜２．００
１．００＜｜ｆｐａ／ｆ１｜＜２．２０
なる条件式を満足することを特徴とする請求項１ないし請求項６のうち何れか１項に記載のズームレンズ。
但し、複数のレンズの合成焦点距離ｆｘは、前記複数のレンズそれぞれの焦点距離をｆ１、ｆ２、ｆ３、・・・として、次式で表される。
１／ｆｘ＝１／ｆ１＋１／ｆ２＋１／ｆ３＋・・・
【請求項８】
請求項１ないし請求項７のうちいずれか１項に記載のズームレンズと、
前記ズームレンズの像面に配された撮像素子と、
を有することを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、監視用カメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。
【０００３】
例えば特許文献１には、正の第１レンズ群、ズーミングに際して移動する負の屈折力の第２レンズ群、正の屈折力の第３レンズ群、ズーミングのためには移動しない第４レンズ群を有し、テレビカメラに好適な４群ズームレンズが開示されている。また、第１群の最も像側の部分レンズ群でフォーカシングを行い、第１群の物体側の部分レンズ群はフォーカシング時固定である。
【０００４】
この特許文献１には、ズーム比６５倍程度、広角端の撮影画角６０°程度のズームレンズが開示されており、硝材、レンズ構成等を適切に配置し広角、高変倍、高性能を達成している。
【先行技術文献】
【特許文献】
【０００５】
【特許文献１】特開２００１−１８３５８４号公報
【発明の概要】
【発明が解決しようとする課題】
【０００６】
上述のポジティブリード型のズームレンズにおいて、広画角化及び高倍率化を維持しつつ、全ズーム全フォーカス範囲において、高い光学性能を得るには第１レンズ群の構成、屈折力、フォーカス方式を適切に設定することが重要になってくる。これらの構成を適切に設定しないと、広画角かつ高ズーム比で全ズーム・フォーカス範囲にわたり高い光学性能のズームレンズを得るのが難しくなってくる。
【０００７】
特許文献１に開示されているズームレンズでは、高倍率化に伴い、ズーミング中の軸上色収差の変動、物体距離の変化に伴う軸上色収差の変動、望遠端の周辺性能の変化が増大する傾向があった。
【０００８】
本発明は、例えば、広画角、高ズーム比、全ズーム・フォーカス範囲にわたる高い光学性能の点で有利なズームレンズの提供を目的とする。
【課題を解決するための手段】
【０００９】
本発明は、物体側から像側へ順に、ズーミングのためには移動しない正の屈折力の第１レンズ群と、ズーミングのために移動する負の屈折力の第２レンズ群と、ズーミングのために移動する正の屈折力の第３レンズ群と、ズーミングのために移動する正の屈折力の第４レンズ群と、ズーミングのためには移動しない第５レンズ群とからなるズームレンズであって、
ズーミングのために、互いに隣り合う２つのレンズ群の組それぞれの間隔が変化し、
前記第１レンズ群は、物体側から像側へ順に、フォーカシングのためには移動しない第１ａレンズ群と、無限遠物体から近距離物体へのフォーカシングのために像側から物体側へ移動する第１ｂレンズ群とから構成され、
前記第１ａレンズ群は、２枚の正レンズと、２枚の負レンズ２枚とを有する、
ことを特徴とするズームレンズである。
また、本発明は、物体側から像側へ順に、ズーミングのためには移動しない正の屈折力の第１レンズ群と、ズーミングのために移動する負の屈折力の第２レンズ群と、ズーミングのために移動する正の屈折力の第３レンズ群と、ズーミングのためには移動しない第４レンズ群とからなるズームレンズであって、
ズーミングのために、互いに隣り合う２つのレンズ群の組それぞれの間隔が変化し、
前記第１レンズ群は、物体側から像側へ順に、フォーカシングのためには移動しない第１ａレンズ群と、無限遠物体から近距離物体へのフォーカシングのために像側から物体側へ移動する第１ｂレンズ群とから構成され、
前記第１ａレンズ群は、２枚の正レンズと、２枚の負レンズ２枚とを有し、
前記第１レンズ群の焦点距離をｆ１とし、前記第２レンズ群の焦点距離をｆ２として、
６．００＜｜ｆ１／ｆ２｜＜１３．００
なる条件式を満足する、
ことを特徴とするズームレンズである。
【発明の効果】
【００１０】
本発明によれば、例えば、広画角、高ズーム比、全ズーム・フォーカス範囲にわたる高い光学性能の点で有利なズームレンズが得られる。
【図面の簡単な説明】
【００１１】
【図１】数値実施例１の広角端で無限遠フォーカス時のレンズ断面図
【図２】（Ａ）、（Ｂ）数値実施例１の広角端、望遠端の物体距離１５ｍにおける収差図
【図３】数値実施例２の広角端で無限遠フォーカス時のレンズ断面図
【図４】（Ａ）、（Ｂ）数値実施例２の広角端、望遠端の物体距離１５ｍにおける収差図
【図５】数値実施例３の広角端で無限遠フォーカス時のレンズ断面図
【図６】（Ａ）、（Ｂ）数値実施例３の広角端、望遠端の物体距離１５ｍにおける収差図
【図７】数値実施例４の広角端で無限遠フォーカス時のレンズ断面図
【図８】（Ａ）、（Ｂ）数値実施例４の広角端、望遠端の物体距離１５ｍにおける収差図
【図９】数値実施例５の広角端で無限遠フォーカス時のレンズ断面図
【図１０】（Ａ）、（Ｂ）数値実施例５の広角端、望遠端の物体距離１５ｍにおける収差図
【図１１】本発明の撮像装置の要部概略図
【発明を実施するための形態】
【００１２】
以下に、本発明の実施の形態を添付の図面に基づいて詳細に説明する。
【００１３】
本発明のズームレンズは、物体側から像側に順に、ズーミングのためには移動しない正の屈折力の第１レンズ群、ズーミングに際して移動する負の屈折力の第２レンズ群、ズーミングに際して移動する正の屈折力の第３レンズ群を有する。
【００１４】
ここでレンズ群がズーミングのためには移動しないというのは、レンズ群がズーミングを行う目的で移動されることは無いが、ズーミングとフォーカシングとを同時に行う場合があれば、フォーカシングのために移動することはあり得るということである。
【００１５】
図１は本発明の実施例１（数値実施例１）の広角端で、無限遠にフォーカスしているときのレンズ断面図である。図２（Ａ）、（Ｂ）は、数値実施例１の広角端、望遠端において距離１５ｍに合焦しているときの収差図である。但し、物体距離の値は、後述する数値実施例をｍｍ単位で表したときの値である。物体距離は第１レンズ面からの距離である。以下、同じである。
【００１６】
図３は本発明の実施例２（数値実施例２）の広角端で、無限遠にフォーカスしているときのレンズ断面図である。図４（Ａ）、（Ｂ）は、数値実施例２の広角端、望遠端において距離１５ｍに合焦しているときの収差図である。
【００１７】
図５は本発明の実施例３（数値実施例３）の広角端で、無限遠にフォーカスしているときのレンズ断面図である。図６（Ａ）、（Ｂ）は、数値実施例３の広角端、望遠端において距離１５ｍに合焦しているときの収差図である。
【００１８】
図７は本発明の実施例４（数値実施例４）の広角端で、無限遠にフォーカスしているときのレンズ断面図である。図８（Ａ）、（Ｂ）は、数値実施例４の広角端、望遠端において距離１５ｍに合焦しているときの収差図である。
【００１９】
図９は本発明の実施例５（数値実施例５）の広角端で、無限遠にフォーカスしているときのレンズ断面図である。図１０（Ａ）、（Ｂ）は、数値実施例５の広角端、望遠端において距離１５ｍに合焦しているときの収差図である。
【００２０】
各レンズ断面図において、左方が被写体（物体）側（前方）で、右方が像側（後方）である。レンズ断面図において、Ｕ１はズーミングのためには移動しない正の屈折力の第１レンズ群である。Ｕ１ｂは第１レンズ群Ｕ１中のフォーカスレンズ群であり、無限遠物体から近距離物体へのフォーカシング調整に際して物体側へ移動する。Ｕ１ａは第１レンズ群Ｕ１中のフォーカシングのためには移動しない固定レンズ群である。
【００２１】
Ｕ２はズーミングに際して移動する負の屈折力の第２レンズ群である。Ｕ３はズーミングに際して移動する正の屈折力の第３レンズ群である。
【００２２】
実施例１、２、４、５においては、Ｕ４はズーミングに際して移動する正の屈折力の第４レンズ群である。Ｕ５はズーミングのためには移動しない結像用の第５レンズ群（リレーレンズ群）である。
【００２３】
実施例３においては、Ｕ４はズーミングのためには移動しない結像用の第４レンズ群（リレーレンズ群）である。
【００２４】
各実施例のズームレンズは、各々のレンズ間隔を変化させながら光軸上を移動することで、ズームとズームに伴う像面変動の補正を行っている。
【００２５】
ＩＰは像面であり、固体撮像素子（光電変換素子）の撮像面に相当している。球面収差図において、実線はｅ線、二点鎖線はｇ線を示す。非点収差において点線はｅ線のメリディオナル像面、実線のｅ線のサジタル像面を示している。倍率色収差において二点鎖線はｇ線を示す。ＦｎｏはＦナンバー、ωは半画角（度）である。
【００２６】
収差図において、球面収差は０．２ｍｍ、非点収差は０．２ｍｍ、歪曲は５％、倍率色収差は、０．０５ｍｍのスケールで描いている。
【００２７】
本発明のズームレンズは、第１レンズ群のフォーカス方式、第１レンズ群のレンズ構成を規定することにより、高ズーム比、広画角で全ズーム・フォーカス範囲にわたり高い光学性能を有するための条件を規定している。
【００２８】
物体側から像側に順にズーミングのためには移動しない正の屈折力の第１レンズ群、ズーミングに際して移動する負の屈折力の第２レンズ群、ズーミングに際して移動する正の屈折力の第３レンズ群を有している。また、ズーミングに際して隣り合うレンズ群の間隔が変化し、第１レンズ群は、フォーカシングのためには移動しない第１ａレンズ群、無限遠物体から近距離物体へのフォーカシングに際して像側から物体側へ移動する第１ｂレンズ群から構成されている。さらに、前記第１ａレンズ群は正レンズ２枚、負レンズ２枚を有している。ここで、この第１ａレンズ群は正レンズを３枚以上、または負レンズを３枚以上有していても構わないが、本実施例においては課題を解決するために最低限必要なレンズ枚数として、正レンズ２枚、負レンズ２枚の例を示している。
【００２９】
上記構成とすることにより、高ズーム比、広画角でしかも全ズーム・フォーカス範囲にわたり高い光学性能を有するズームレンズを得ている。
【００３０】
各実施例においては、第１レンズ群は物体側の第１ａレンズ群、像側の第１ｂレンズ群の２つのレンズ群から構成され、物体側の第１ａレンズ群はフォーカシングのために移動せず、像側の第１ｂレンズ群はフォーカシングに際して移動する。無限遠物体から近距離物体へのフォーカシングに際して像側から物体側へ移動することでフォーカス調整を行う。
【００３１】
この際、フォーカシングにより、軸上光線、及び軸外光線の高さが変動することにより収差変動が発生する。前記収差変動は一般的に望遠側にいくに従って増大する。これを、抑制するためには光線高さの変動が大きい、物体側の第１ａレンズ群における収差発生量を抑制する必要がある。前記収差変動は、色収差と基準波長に起因する収差に分類できる。
【００３２】
第１ａレンズ群が負レンズ２枚、正レンズ２枚を有することにより、第１ａレンズ群内のレンズ面数が増え、第１ａレンズ群内の各面の収差の発生量を抑制することができる。また、曲率が近く収差を互いに打ち消す隣り合わせの面（凸面と凹面）の組み合わせ（実施例１であれば２面と３面及び６面と７面）を複数設けることができる。前記組み合わせは、高次収差を補正することができるため、これを複数設けることで低次収差から高次収差まで第１ａレンズ群の収差発生を良好に補正することができる。
【００３３】
さらに、収差敏感度、光学性能を維持しながら、正レンズと負レンズの分散（アッべ数νｄ）を近付けることが可能となる。これにより、硝材選択の関係上、正レンズと負レンズの分散特性（部分分散比θｇｆ）を近付けることができ、第１ａレンズ群の色収差を全波長において良好に補正することが可能となる。
【００３４】
本発明のズームレンズは、更なる特徴として、第４レンズ群以降のレンズ構成・レンズ群の屈折力を規定することにより、高ズーム比、広画角でしかも全ズーム・フォーカス範囲にわたり高い光学性能を有するズームレンズを得るための条件を規定している。第４レンズ群以降を、ズーミングに際して移動する正の屈折力の第４レンズ群、結像のための第５レンズ群の構成や、結像のための第４レンズ群からなる構成を取ることにより、レンズ全長を維持したまま、高ズーム比化を達成することができる。
【００３５】
本発明のズームレンズは、更なる特徴として、第１ａレンズ群の負レンズの焦点距離の比率、レンズ材料の分散の比率を規定している。これにより、第１ａレンズ群における色収差・諸収差の発生を抑制し、フォーカシングによる収差の発生を良好に補正することができる。
【００３６】
第１ａレンズ群の２枚の負レンズのうち、物体側に配置された負レンズの焦点距離をｆｎ１、アッベ数をνｎ１、像側に配置された負レンズの焦点距離をｆｎ２、アッべ数をνｎ２としたとき、以下の条件式を満足する。
０．３０＜ｆｎ１／ｆｎ２＜２．５０    ・・・（１）
０．３０＜νｎ１／νｎ２＜２．７０    ・・・（２）
【００３７】
ここで、アッベ数は、フラウンホーファー線のＦ線（４８６．１ｎｍ）、ｄ線（５８７．６ｎｍ）、Ｃ線（６５６．３ｎｍ）に対する屈折率をそれぞれＮｄ、ＮＦ、ＮＣとしたとき、
νｄ＝（Ｎｄ−１）／（ＮＦ−ＮＣ）
で表される。
【００３８】
条件式（１）の下限を越えると、軸外光線の高さが大きい前記物体側に配置された負レンズの屈折力が強くなり、広角側における歪曲、像面湾曲が悪化する。また、第１ａレンズ群における球面収差等の敏感度が増大する。条件式（１）の上限を越えると、前記物体側に配置された負レンズの屈折力が弱くなり、第１レンズ群のレトロ化が困難となり、小型化が難しくなる。また、前記像側に配置された負レンズの屈折力が強くなり、第１ａレンズ群における球面収差等の敏感度が増大する。
【００３９】
条件式（２）の下限を越えると、軸外光線の高さが大きい物体側に配置された負レンズの分散が強くなり、軸外光線の高さが小さい像側に配置された負レンズの分散が弱くなり軸上色収差と倍率色収差の補正の両立が困難となる。条件式（２）の上限を越えると、軸外光線の高さが大きい物体側に配置された負レンズの分散が弱くなり、軸外光線の高さが小さい像側に配置された負レンズの分散が強くなり軸上色収差と倍率色収差の補正の両立が困難となる。
【００４０】
更に好ましくは条件式（１）、（２）を次の如く設定するのが良い。
０．４０＜ｆｎ１／ｆｎ２＜１．９０    ・・・（１ａ）
０．３５＜νｎ１／νｎ２＜２．５０    ・・・（２ａ）
【００４１】
本発明のズームレンズは、更なる特徴として、第１ａレンズ群の負レンズの焦点距離と第１レンズ群の焦点距離の比を規定することにより、第１ａレンズ群の諸収差の発生を抑制し、フォーカシングによる収差の発生を良好に補正するための条件を規定している。
【００４２】
第１レンズ群の焦点距離をｆ１としたとき、以下の条件式を満足する。
１．３０＜｜ｆｎ１／ｆ１｜＜５．００    ・・・（３）
１．５０＜｜ｆｎ２／ｆ１｜＜６．００    ・・・（４）
【００４３】
条件式（３）の下限を越えると、軸外光線が高い物体側に配置された負レンズの屈折力が強くなり、広角側における歪曲、像面湾曲が悪化する。また、第１ａレンズ群における球面収差等の敏感度が増大する。条件式（３）の上限を越えると、前記物体側に配置された負レンズの屈折力が弱くなり、第１レンズ群のレトロ化が困難となり、小型化が難しくなる。
【００４４】
条件式（４）の下限を越えると、像側に配置された負レンズの屈折力が強くなり、第１ａレンズ群における球面収差等の敏感度が増大する。条件式（４）の上限を越えると、前記物体側に配置された負レンズの屈折力が弱くなり、第１ａレンズ群における色収差、諸収差の良好な補正が困難となり、フォーカシングによる収差の発生が増大する。
【００４５】
更に好ましくは条件式（３）、（４）を次の如く設定するのが良い。
１．６０＜｜ｆｎ１／ｆ１｜＜４．５０    ・・・（３ａ）
１．７０＜｜ｆｎ２／ｆ１｜＜４．７０    ・・・（４ａ）
【００４６】
本発明のズームレンズは、更なる特徴として、第１ａレンズ群のレンズ材料の分散特性の条件を規定することによりフォーカシングによる軸上色収差の変動、ズーミングによる軸上色収差、倍率色収差の変動を良好に補正するための条件を規定している。
【００４７】
第１ａレンズ群を構成するレンズのうち、正レンズのアッベ数、部分分散比の平均値をνｐａ、θｐａ、第１ａレンズ群を構成する負レンズのうち最もアッべ数の大きい負レンズのアッベ数、部分分散比をνｎｘ、θｎｘとしたとき、以下の条件式を満足する。
−０．５０５００×１０−３＜（θｐａ−θｎｘ）／（νｐａ−νｎｘ）＜０．２００００×１０−３    ・・・（５）
【００４８】
ここで、部分分散比は、フラウンホーファー線のｇ線（４３５．８ｎｍ）に対する屈折率をＮｇとしたとき、
θ＝（Ｎｇ−ＮＦ）／（ＮＦ−ＮＣ）
で表される。
【００４９】
条件式（５）の下限を越えると、第１ａレンズ群による色収差補正効果が不足し、フォーカシングによる軸上色収差の変動、ズーミングによる軸上色収差、倍率色収差の変動を良好に補正することが困難となってくる。条件式（５）上限を上回ると、硝材選択が限定的となるため、第１ａレンズ群の正レンズと負レンズの分散が近くなり、第１ａレンズ群の各単レンズの屈折力が増大する。その結果、フォーカシングによるコマ収差変動の良好な補正が困難となる。
【００５０】
更に好ましくは条件式（５）を次の如く設定するのが良い。
−０．５００００×１０−３＜（θｐａ−θｎｘ）／（νｐａ−νｎｘ）＜０．１０００００×１０−３    ・・・（５ａ）
【００５１】
本発明のズームレンズは、更なる特徴として、第１レンズ群と第２レンズ群の焦点距離を規定することにより、高倍率ながらズーム全域における収差の良好な補正を達成するための条件を規定している。第２レンズ群の焦点距離をｆ２としたとき、以下の条件式を満足する。
６．００＜｜ｆ１／ｆ２｜＜１３．００      ・・・（６）
【００５２】
条件式（６）の上限を超えると、第１レンズ群の焦点距離が相対的に長くなるため、第１レンズ群のレンズ径が大きくなり、広角化が困難となる。条件式（６）の下限を超えると、第１レンズ群の焦点距離が相対的に短くなるため、望遠側の球面収差変動や軸上色収差の補正をすることが困難となる。
【００５３】
更に好ましくは条件式（６）を次の如く設定するのが良い。
７．５０＜｜ｆ１／ｆ２｜＜１１．００      ・・・（６ａ）
【００５４】
本発明のズームレンズは、更なる特徴として、第１ａレンズ群の負レンズの合成焦点距離、第１ａレンズ群の正レンズの合成焦点距離、第１レンズ群の焦点距離の比率を規定している。これにより、第１ａレンズ群の諸収差の発生を抑制し、フォーカシングによる収差の発生を良好に補正することができる。
【００５５】
第１ａレンズ群を構成するレンズのうち、正レンズの合成焦点距離をｆｐａ、負レンズの合成焦点距離をｆｎａとしたとき、以下の条件式を満足する。
０．７５＜｜ｆｎａ／ｆｐａ｜＜１．３０  ・・・（７）
１．００＜｜ｆｎａ／ｆ１｜＜２．００    ・・・（８）
１．００＜｜ｆｐａ／ｆ１｜＜２．２０    ・・・（９）
【００５６】
但し複数のレンズの合成焦点距離ｆｘとは、複数のレンズの各々の焦点距離をｆ１、ｆ２、ｆ３・・・としたとき、以下のように表されるものとする。
１／ｆｘ＝１／ｆ１＋１／ｆ２＋１／ｆ３＋・・・
【００５７】
条件式（７）の下限を越えると、第１ａレンズ群における各単レンズの屈折力が強くなり、望遠端の球面収差、コマ収差の補正が困難となる。また、第１ａレンズ群における球面収差等の敏感度が増大する。条件式（７）の上限を越えると、第１ａレンズ群における色消しが不十分となり、フォーカシングによる色収差の変動が増大する。
【００５８】
条件式（８）の下限を越えると、負レンズの屈折力が強くなり、広角側における歪曲、像面湾曲が悪化する。また、第１ａレンズ群における球面収差等の敏感度が増大する。条件式（８）の上限を越えると、第１ａレンズ群における色消しが不十分となり、フォーカシングによる色収差の変動が増大する。
【００５９】
条件式（９）の下限を越えると、正レンズの屈折力が強くなり、望遠端の球面収差、コマ収差の補正が困難となる。また、第１ａレンズ群における球面収差等の敏感度が増大する。条件式（９）の上限を越えると、第１ａレンズ群における色消しが不十分となり、フォーカシングによる色収差の変動が増大する。
【００６０】
更に好ましくは条件式（７）、（８）、（９）を次の如く設定するのが良い。
０．８５＜｜ｆｎａ／ｆｐａ｜＜１．１０  ・・・（７ａ）
１．１０＜｜ｆｎａ／ｆ１｜＜１．７０    ・・・（８ａ）
１．１０＜｜ｆｐａ／ｆ１｜＜１．９０    ・・・（９ａ）
【００６１】
次に各実施例の特徴について説明する。
【実施例１】
【００６２】
図１の実施例１のレンズ断面図において、Ｕ１はズーミングのためには移動しない正の屈折力の第１レンズ群である。Ｕ１は物体側から像側に順に、フォーカシングのためには移動しない第１ａレンズ群Ｕ１ａと、フォーカシングに際して移動する第１ｂレンズ群Ｕ１ｂを有する。フォーカシング用のＵ１ｂは、無限遠物体から近距離物体へのフォーカシングに際し、物体距離が遠距離から近距離になるにつれ物体側へ移動する。
【００６３】
Ｕ２、Ｕ３はズーミングの際に移動する、負の屈折力の第２レンズ群、正の屈折力の第３レンズ群（バリエータレンズ群）である。このＵ２、Ｕ３は光軸上を移動することにより、広角端から望遠端への変倍を行っている。Ｕ４はズーミングに際して移動する、正の屈折力の第４レンズ群（コンペンセーターレンズ群）である。このＵ４は、Ｕ２、Ｕ３の移動に連動して光軸上を移動して、変倍に伴う像面変動を補正している。ＳＰは開口絞りである。Ｕ５はズーミングに際して移動しない正の屈折力の第５レンズ群（リレーレンズ群Ｒ）である。開口絞りＳＰはＵ４とＵ５との間に配置されている。
【００６４】
本実施例は（１）から（９）までのいずれの条件式も満足しており、これにより、高ズーム比、高性能、しかも製造誤差による性能の劣化が少ないズームレンズを得ている。
【実施例２】
【００６５】
図３の実施例２のズームレンズは、レンズ群の数、各レンズ群の屈折力、ズーミング、フォーカシングにおける各レンズ群の移動条件等、ズームタイプは実施例１と同様である。
【００６６】
本実施例はいずれの条件式も満足しており、これにより、実施例１と同様の効果を得ている。
【実施例３】
【００６７】
図５の実施例３のレンズ断面図において、Ｕ１はズーミングのためには移動しない正の屈折力の第１レンズ群である。Ｕ１は物体側から像側に順に、フォーカシングのためには移動しない第１ａレンズ群Ｕ１ａと、フォーカシングに際して移動する第１ｂレンズ群Ｕ１ｂを有する。フォーカシング用のＵ１ｂは、無限遠物体から近距離物体へのフォーカシングに際し、物体距離が遠距離から近距離になるにつれ物体側へ移動する。
【００６８】
Ｕ２はズーミングの際に移動する、負の屈折力の第２レンズ群（バリエータレンズ群）である。このＵ２は光軸上を移動することにより、広角端から望遠端への変倍を行っている。Ｕ３はズーミングに際して移動する、正の屈折力の第３レンズ群（コンペンセーターレンズ群）である。このＵ３は、Ｕ２の移動に連動して光軸上を移動して、変倍に伴う像面変動を補正している。ＳＰは開口絞りである。Ｕ４はズーミングに際して不動の正の屈折力の第４レンズ群（リレーレンズ群Ｒ）である。開口絞りＳＰはＵ３とＵ４との間に配置されている。
【００６９】
本実施例は（１）から（９）までのいずれの条件式も満足しており、これにより、高ズーム比、高性能、しかも製造誤差による性能の劣化が少ないズームレンズを得ている。
【実施例４】
【００７０】
図７の実施例４のズームレンズは、レンズ群の数、各レンズ群の屈折力、ズーミング、フォーカシングにおける各レンズ群の移動条件等、ズームタイプは実施例１と同様である。
【００７１】
本実施例はいずれの条件式も満足しており、これにより、実施例１と同様の効果を得ている。
【実施例５】
【００７２】
図９の実施例５のズームレンズは、レンズ群の数、各レンズ群の屈折力、ズーミング、フォーカシングにおける各レンズ群の移動条件等、ズームタイプは実施例１と同じである。
【００７３】
本実施例はいずれの条件式も満足しており、これにより、実施例１と同様の効果を得ている。
【００７４】
また、各実施例の第１レンズ群Ｕ１のフォーカシングのためには移動しな第１ａレンズ群Ｕ１ａは非球面を有していてもよい。各実施例の第１ｂレンズ群Ｕ１ｂは、フォーカシングに際し、Ｕ１ｂ全体が一体として物体側へ移動してもよい、またＵ１ｂが２体に分かれ複合的に移動してもよい。
【実施例６】
【００７５】
図１１を用いて、各数値実施例のズームレンズを撮影光学系として用いた撮像装置（テレビカメラシステム）の概要を説明する。図１１は本発明の撮像装置の要部概略図である。図１１において１０１は数値実施例１〜５のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【００７６】
ズームレンズ１０１は第１レンズ群Ｆ、変倍レンズ群ＬＺ、後レンズ群Ｒを有している。第１レンズ群Ｆはフォーカス調節用レンズ群が含まれている。変倍レンズ群ＬＺはズーミングに際して光軸上を移動する群と、ズーミングに伴う像面変動を補正するために光軸上を移動する群が含まれている。後レンズ群Ｒは開口絞りＳＰと結像するためのレンズ群が含まれている。
【００７７】
１１４、１１５は、各々第１レンズ群Ｆ、変倍レンズ群ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍レンズ群ＬＺの光軸上の位置や、開口絞りＳＰの絞り径を検出する為のエンコーダやポテンショメータ、あるいはフォトセンサ等の検出器である。
【００７８】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。
【００７９】
このように本発明のズームレンズをテレビカメラに適用することにより、高い光学性能を有する撮像装置を実現している。
【００８０】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉはそれぞれ第ｉ番目の光学部材の屈折率とアッベ数である。ＢＦはバックフォーカスである。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。
【００８１】
【数１】
0006544975.tif 000002
【００８２】
で表される。又、例えば「ｅ−Ｚ」は「×１０−Ｚ」を意味する。＊印は非球面であることを示している。各実施例と前述した条件式との対応を表１に示す。
【００８３】
（数値実施例１）
単位 mm
面データ
面番号      r         d        nd        vd       θgF     有効径   焦点距離
1     1997.02113   6.00000  1.788001   47.37    0.5559    198.149   -452.598
2      303.49132   1.94485  1.000000    0.00    0.0000    190.591      0.000
3      317.22604  19.16858  1.433870   95.10    0.5373    190.378    698.448
4    -7044.93390   0.20000  1.000000    0.00    0.0000    190.784      0.000
5      673.24372   6.00000  1.834000   37.16    0.5775    192.043  -1014.711
6      374.48011   0.79177  1.000000    0.00    0.0000    191.537      0.000
7      345.92209  19.79827  1.433870   95.10    0.5373    192.283    687.598
8    -2170.21310  28.23869  1.000000    0.00    0.0000    192.596      0.000
9      339.68529  21.07732  1.433870   95.10    0.5373    195.863    648.526
10    -1632.16760   0.25000  1.000000    0.00    0.0000    195.374      0.000
11      246.79128  21.92714  1.433870   95.10    0.5373    190.003    593.790
12     5400.98293   1.20000  1.000000    0.00    0.0000    188.452      0.000
13      187.53643  11.51644  1.496999   81.54    0.5374    175.330    938.176
14      306.70197    (可変)  1.000000    0.00    0.0000    173.621      0.000
15      395.90619   2.35000  1.882997   40.76    0.5667     51.597    -55.978
16       44.04654  13.30679  1.000000    0.00    0.0000     44.829      0.000
17      -65.41206   1.45000  1.772499   49.60    0.5521     42.284    -42.531
18       67.29545   9.26401  1.808095   22.76    0.6307     42.341     44.835
19      -75.29841   3.29682  1.000000    0.00    0.0000     43.030      0.000
20      -53.59756   2.00000  1.696797   55.53    0.5433     42.991    -78.730
21    -2003.54268    (可変)  1.000000    0.00    0.0000     45.165      0.000
22      628.44661   9.76339  1.603112   60.64    0.5414     75.695    208.575
23     -157.12389   1.60214  1.000000    0.00    0.0000     77.204      0.000
24      221.58939  13.83425  1.438750   94.93    0.5343     79.745    201.114
25     -144.43270  10.00142  1.000000    0.00    0.0000     80.024      0.000
26    -1008.20057   2.50000  1.717362   29.50    0.6048     77.517   -124.649
27       99.08580   9.31604  1.438750   94.93    0.5343     76.804    258.044
28      757.73674    (可変)  1.000000    0.00    0.0000     77.029      0.000
29      142.05929  14.10652  1.593490   67.00    0.5361     78.216    127.579
30     -157.32117    (可変)  1.000000    0.00    0.0000     77.818      0.000
31        0.00000   4.90749  1.000000    0.00    0.0000     33.177      0.000
32      -72.13544   1.80000  1.816000   46.62    0.5568     31.587    -39.850
33       60.43089   5.13557  1.808095   22.76    0.6307     31.258     59.455
34     -237.28216   7.55722  1.000000    0.00    0.0000     31.109      0.000
35      -28.78125   1.49977  1.816000   46.62    0.5568     30.305    -24.953
36       72.49578  10.08032  1.548141   45.79    0.5685     33.631     38.544
37      -28.55262  16.01812  1.000000    0.00    0.0000     34.930      0.000
38      194.31854   9.07524  1.531717   48.84    0.5630     38.345     68.490
39      -44.35136   1.49161  1.000000    0.00    0.0000     38.448      0.000
40     -104.49421   1.50000  1.882997   40.76    0.5667     36.218    -38.029
41       50.24421   8.69548  1.518229   58.90    0.5456     35.615     45.865
42      -42.76309   0.49453  1.000000    0.00    0.0000     35.713      0.000
43      151.55145   6.51018  1.496999   81.54    0.5374     33.550     59.851
44      -36.61436   1.50000  1.882997   40.76    0.5667     32.980    -44.960
45     -449.26887   1.00055  1.000000    0.00    0.0000     32.726      0.000
46       79.39231   5.73260  1.522494   59.84    0.5439     32.255     83.857
47      -96.19591  10.00000  1.000000    0.00    0.0000     31.572      0.000
48        0.00000  33.00000  1.608590   46.44    0.5664     40.000      0.000
49        0.00000  13.20000  1.516330   64.14    0.5352     40.000      0.000
50        0.00000   0.00000  1.000000    0.00    0.0000     50.000      0.000
非球面データ
第15面
K =-2.45811e+002  A 4= 1.07978e-006  A 6=-4.50940e-010  A 8= 1.73915e-013
第22面
K =-5.09046e+001  A 4=-2.37327e-007  A 6= 3.54000e-012  A 8=-1.42314e-015
各種データ
ズーム比     80.00
広角       中間       望遠
焦点距離        10.00      89.41     800.00
Fナンバー        1.80       1.80       4.20
画角            28.81       3.52       0.39
像高             5.50       5.50       5.50
レンズ全長     691.51     691.51     691.51
BF              14.63      14.63      14.63
d14              3.00     139.64     177.80
d21            289.00     115.12       2.88
d28              1.43       2.92       3.32
d30             13.35      49.10     122.78
d50             14.63      14.63      14.63
入射瞳位置     155.45    1014.32   10584.39
射出瞳位置   11004.69   11004.69   11004.69
前側主点位置   165.46    1104.46   11442.62
後側主点位置     4.63     -74.78    -785.37
ズームレンズ群データ
群  始面    焦点距離  レンズ構成長  前側主点位置  後側主点位置
1    1     246.00       138.11        81.41        -19.51
2   15     -28.50        31.67         7.77        -14.80
3   22     161.40        47.02        -4.26        -37.12
4   29     127.58        14.11         4.27         -4.73
5   31      60.37       139.20        60.71          7.60
【００８４】
（数値実施例２）
単位 mm
面データ
面番号      r         d        nd        vd       θgF     有効径   焦点距離
1     1324.80625  22.32362  1.433870   95.10    0.5373    201.749    619.788
2     -336.72584   0.79968  1.000000    0.00    0.0000    199.468      0.000
3     -370.74012   6.00000  1.834000   37.16    0.5775    194.541   -789.254
4     -848.15632   0.20000  1.000000    0.00    0.0000    190.376      0.000
5     1733.64369  20.94068  1.433870   95.10    0.5373    189.840    607.866
6     -310.83471   2.61864  1.000000    0.00    0.0000    189.561      0.000
7     -298.28647   6.00000  1.772499   49.60    0.5521    188.690   -503.149
8    -1273.75329  30.35525  1.000000    0.00    0.0000    189.954      0.000
9      548.82791  18.46581  1.433870   95.10    0.5373    190.391    701.589
10     -680.33731   0.25000  1.000000    0.00    0.0000    190.046      0.000
11      333.29911  15.97422  1.433870   95.10    0.5373    184.668    765.659
12  -408110.84046   1.20000  1.000000    0.00    0.0000    183.614      0.000
13      194.97395  14.30085  1.496999   81.54    0.5374    172.382    709.696
14      423.79760    (可変)  1.000000    0.00    0.0000    170.447      0.000
15      419.69996   2.35000  1.882997   40.76    0.5667     47.312    -50.297
16       40.26779  11.98920  1.000000    0.00    0.0000     40.789      0.000
17      -50.83937   1.45000  1.772499   49.60    0.5521     38.920    -36.992
18       66.79636   9.04244  1.808095   22.76    0.6307     39.334     40.318
19      -60.94881   1.28069  1.000000    0.00    0.0000     40.183      0.000
20      -49.90479   2.00000  1.696797   55.53    0.5433     40.190    -79.704
21     -481.89320    (可変)  1.000000    0.00    0.0000     42.279      0.000
22      337.49438   8.60231  1.603112   60.64    0.5414     76.190    194.359
23     -178.94751   1.35642  1.000000    0.00    0.0000     76.928      0.000
24      164.89680  12.68381  1.438750   94.93    0.5343     78.861    193.472
25     -171.72108   0.46460  1.000000    0.00    0.0000     78.786      0.000
26      233.46660   2.50000  1.749505   35.33    0.5818     76.772   -186.036
27       87.25934   7.72445  1.438750   94.93    0.5343     74.595    306.167
28      241.16096    (可変)  1.000000    0.00    0.0000     74.275      0.000
29      122.51081   2.50000  1.846660   23.78    0.6205     73.869   -292.057
30       81.41636  14.66930  1.593490   67.00    0.5361     72.165    112.042
31     -345.13967    (可変)  1.000000    0.00    0.0000     71.183      0.000
32        0.00000   4.90749  1.000000    0.00    0.0000     33.126      0.000
33      -72.13544   1.80000  1.816000   46.62    0.5568     31.551    -39.850
34       60.43089   5.13557  1.808095   22.76    0.6307     31.235     59.455
35     -237.28216   7.55722  1.000000    0.00    0.0000     31.092      0.000
36      -28.78125   1.49977  1.816000   46.62    0.5568     30.304    -24.953
37       72.49578  10.08032  1.548141   45.79    0.5685     33.646     38.544
38      -28.55262  16.01812  1.000000    0.00    0.0000     34.946      0.000
39      194.31854   9.07524  1.531717   48.84    0.5630     38.448     68.490
40      -44.35136   1.49161  1.000000    0.00    0.0000     38.557      0.000
41     -104.49421   1.50000  1.882997   40.76    0.5667     36.327    -38.029
42       50.24421   8.69548  1.518229   58.90    0.5456     35.729     45.865
43      -42.76309   0.49453  1.000000    0.00    0.0000     35.828      0.000
44      151.55145   6.51018  1.496999   81.54    0.5374     33.663     59.851
45      -36.61436   1.50000  1.882997   40.76    0.5667     33.109    -44.960
46     -449.26887   1.00055  1.000000    0.00    0.0000     32.863      0.000
47       79.39231   5.73260  1.522494   59.84    0.5439     32.401     83.605
48      -95.55050  10.00000  1.000000    0.00    0.0000     31.731      0.000
49        0.00000  33.00000  1.608590   46.44    0.5664     40.000      0.000
50        0.00000  13.20000  1.516330   64.14    0.5352     40.000      0.000
51        0.00000   0.00000  1.000000    0.00    0.0000     50.000      0.000
非球面データ
第15面
K =-5.20835e+002  A 4= 1.54343e-006  A 6=-1.02554e-009  A 8= 6.38836e-013
第22面
K =-2.95240e+001  A 4=-7.87902e-008  A 6=-6.79761e-012  A 8= 7.47662e-016
各種データ
ズーム比     80.00 
広角     中間       望遠
焦点距離       10.00     89.40     800.00
Fナンバー       1.80      1.80       4.20
画角           28.81      3.52       0.39
像高            5.50      5.50       5.50
レンズ全長    674.53    674.53     674.53
BF             14.95     14.95      14.95
d14             2.65    136.33     174.96
d21           279.09    112.65      11.29
d28            14.34      7.83       1.48
d31             6.25     45.53     114.60
d51            14.95     14.95      14.95
入射瞳位置    161.62   1023.49   10527.82
射出瞳位置   7811.22   7811.22    7811.22
前側主点位置  171.63   1113.91   11409.91
後側主点位置    4.95    -74.45    -785.04
ズームレンズ群データ
群  始面    焦点距離  レンズ構成長  前側主点位置  後側主点位置
1    1     247.00       139.43        80.62        -27.10
2   15     -27.02        28.11         5.99        -14.22
3   22     120.36        33.33         2.96        -19.39
4   29     182.76        17.17         2.55         -8.14
5   32      60.14       139.20        60.60          7.42
【００８５】
（数値実施例３）
単位 mm
面データ
面番号      r         d        nd        vd       θgF     有効径   焦点距離
1    -5040.51292   6.00000  1.717004   47.92    0.5606    210.375   -565.252
2      443.32592   0.99823  1.000000    0.00    0.0000    203.264      0.000
3      432.21379  13.24440  1.433870   95.10    0.5373    202.957   1229.522
4     2232.40054   0.20000  1.000000    0.00    0.0000    201.877      0.000
5      597.02189   6.00000  1.850259   32.27    0.5929    199.277   -970.826
6      345.89840   2.30196  1.000000    0.00    0.0000    194.872      0.000
7      356.45839  25.67725  1.433870   95.10    0.5373    194.500    521.917
8     -611.48487  44.12339  1.000000    0.00    0.0000    193.447      0.000
9      332.28960  19.88688  1.433870   95.10    0.5373    194.591    716.228
10    -4896.15184   0.25000  1.000000    0.00    0.0000    193.840      0.000
11      312.99644  17.65657  1.433870   95.10    0.5373    189.613    746.308
12     8595.88869   1.20000  1.000000    0.00    0.0000    188.310      0.000
13      175.20052  14.81483  1.496999   81.54    0.5374    175.289    774.124
14      311.88029    (可変)  1.000000    0.00    0.0000    172.719      0.000
15      664.85120   2.35000  1.882997   40.76    0.5667     48.085    -50.572
16       42.00306  11.20017  1.000000    0.00    0.0000     41.784      0.000
17      -53.72304   1.45000  1.772499   49.60    0.5521     40.770    -36.234
18       59.72156  10.77698  1.808095   22.76    0.6307     43.957     43.022
19      -78.36637   0.86621  1.000000    0.00    0.0000     45.167      0.000
20      -70.23718   2.00000  1.696797   55.53    0.5433     45.250   -121.151
21     -414.26158    (可変)  1.000000    0.00    0.0000     47.209      0.000
22      212.31031  13.23565  1.603112   60.64    0.5414     79.327    133.849
23     -127.99792   0.20000  1.000000    0.00    0.0000     80.182      0.000
24       97.94547  14.21573  1.438750   94.93    0.5343     80.057    199.096
25     -790.29143   0.20000  1.000000    0.00    0.0000     78.777      0.000
26      260.22473   2.30685  1.805181   25.42    0.6161     76.974   -138.957
27       78.43639  10.85321  1.438750   94.93    0.5343     73.695    208.062
28      525.57155   1.48047  1.000000    0.00    0.0000     73.072      0.000
29      214.97173   6.65950  1.593490   67.00    0.5361     72.271    300.536
30    -1057.43892    (可変)  1.000000    0.00    0.0000     71.430      0.000
31        0.00000   4.54925  1.000000    0.00    0.0000     34.330      0.000
32      -94.68231   1.80000  1.816000   46.62    0.5568     32.768    -40.722
33       52.04362   5.73792  1.808095   22.76    0.6307     32.171     59.938
34     -778.81851   7.60591  1.000000    0.00    0.0000     31.862      0.000
35      -28.66765   1.49977  1.816000   46.62    0.5568     31.165    -27.013
36       99.82643   9.78155  1.548141   45.79    0.5685     34.570     41.833
37      -28.92570  16.01920  1.000000    0.00    0.0000     35.816      0.000
38      199.34821   6.70092  1.531717   48.84    0.5630     38.819     70.702
39      -46.06345   1.49225  1.000000    0.00    0.0000     38.842      0.000
40     -100.22501   1.50000  1.882997   40.76    0.5667     36.719    -38.292
41       51.83775   8.48732  1.518229   58.90    0.5456     36.172     48.039
42      -45.56870   1.00004  1.000000    0.00    0.0000     36.281      0.000
43      143.58790   8.50167  1.496999   81.54    0.5374     34.219     60.624
44      -37.51907   1.50000  1.882997   40.76    0.5667     33.064    -45.656
45     -511.58948   1.00125  1.000000    0.00    0.0000     32.878      0.000
46       74.36478   5.81334  1.522494   59.84    0.5439     32.490     78.431
47      -89.61862  10.00000  1.000000    0.00    0.0000     31.878      0.000
48        0.00000  33.00000  1.608590   46.44    0.5664     40.000      0.000
49        0.00000  13.20000  1.516330   64.14    0.5352     40.000      0.000
50        0.00000   0.00000  1.000000    0.00    0.0000     50.000      0.000
非球面データ
第15面
K =-9.17148e+002  A 4= 8.97349e-007  A 6=-3.36416e-010  A 8= 8.18022e-014
第22面
K =-5.34644e+000  A 4=-1.44820e-007  A 6= 6.38150e-012  A 8= 2.42371e-016
各種データ
ズーム比     80.00 
広角      中間      望遠
焦点距離        10.00     89.43    800.00
Fナンバー        1.79      1.80      4.20
画角            28.81      3.52      0.39
像高             5.50      5.50      5.50
レンズ全長     677.58    677.58    677.58
BF              14.94     14.94     14.94
d14              3.00    140.38    178.51
d21            284.99    114.84      3.16
d30              5.30     38.07    111.62
d50             14.94     14.94     14.94
入射瞳位置     166.55    990.97   9682.89
射出瞳位置   -2390.11  -2390.11  -2390.11
前側主点位置   176.50   1077.08  10216.78
後側主点位置     4.94    -74.49   -785.06
ズームレンズ群データ
群  始面    焦点距離  レンズ構成長  前側主点位置  後側主点位置
1    1     247.00       152.35        94.45        -20.43
2   15     -29.86        28.64         4.81        -15.77
3   22      77.98        49.15         9.69        -24.48
4   31      63.69       139.19        62.04          7.12
【００８６】
（数値実施例４）
単位 mm
面データ
面番号      r         d        nd        vd       θgF     有効径   焦点距離
1      540.51891   6.00000  1.854780   24.80    0.6122    204.916  -1023.079
2      333.53068   2.44610  1.000000    0.00    0.0000    197.511      0.000
3      354.54790  17.42717  1.433870   95.10    0.5373    196.541    812.102
4   -93758.76385   0.20000  1.000000    0.00    0.0000    194.228      0.000
5     1909.26865   6.00000  1.639999   60.08    0.5370    191.536   -620.926
6      329.60361   4.69068  1.000000    0.00    0.0000    187.583      0.000
7      407.56060  14.50916  1.433870   95.10    0.5373    188.171    907.832
8   -12544.99821  45.79065  1.000000    0.00    0.0000    188.323      0.000
9      326.40246  19.33977  1.433870   95.10    0.5373    192.153    685.684
10    -3395.16984   0.25000  1.000000    0.00    0.0000    191.653      0.000
11      234.85405  20.84581  1.433870   95.10    0.5373    186.846    602.215
12     2210.13952   1.20000  1.000000    0.00    0.0000    185.428      0.000
13      202.41101  12.37011  1.496999   81.54    0.5374    174.594    840.897
14      383.48455    (可変)  1.000000    0.00    0.0000    172.897      0.000
15      457.43359   2.35000  1.882997   40.76    0.5667     49.711    -50.888
16       41.03229  14.54481  1.000000    0.00    0.0000     42.871      0.000
17      -55.72869   1.45000  1.772499   49.60    0.5521     39.618    -39.753
18       69.92511   9.21164  1.808095   22.76    0.6307     40.991     42.019
19      -63.35971   1.69693  1.000000    0.00    0.0000     41.800      0.000
20      -48.05236   2.00000  1.696797   55.53    0.5433     41.801    -82.817
21     -286.06046    (可変)  1.000000    0.00    0.0000     44.111      0.000
22      374.72769   8.00938  1.603112   60.64    0.5414     74.990    204.605
23     -183.57781   0.98756  1.000000    0.00    0.0000     75.711      0.000
24      168.50932  12.54292  1.438750   94.93    0.5343     77.680    190.177
25     -162.33229   0.51071  1.000000    0.00    0.0000     77.670      0.000
26      225.78128   2.50000  1.749505   35.33    0.5818     75.771   -202.099
27       90.58423   8.02203  1.438750   94.93    0.5343     73.805    285.347
28      316.71179    (可変)  1.000000    0.00    0.0000     73.472      0.000
29      125.63978   2.50000  1.846660   23.78    0.6205     72.702   -262.011
30       79.75788  14.23865  1.593490   67.00    0.5361     70.895    111.450
31     -369.39822    (可変)  1.000000    0.00    0.0000     69.910      0.000
32        0.00000   4.90749  1.000000    0.00    0.0000     33.144      0.000
33      -72.13544   1.80000  1.816000   46.62    0.5568     31.569    -39.850
34       60.43089   5.13557  1.808095   22.76    0.6307     31.252     59.455
35     -237.28216   7.55722  1.000000    0.00    0.0000     31.109      0.000
36      -28.78125   1.49977  1.816000   46.62    0.5568     30.321    -24.953
37       72.49578  10.08032  1.548141   45.79    0.5685     33.671     38.544
38      -28.55262  16.01812  1.000000    0.00    0.0000     34.966      0.000
39      194.31854   9.07524  1.531717   48.84    0.5630     38.490     68.490
40      -44.35136   1.49161  1.000000    0.00    0.0000     38.601      0.000
41     -104.49421   1.50000  1.882997   40.76    0.5667     36.367    -38.029
42       50.24421   8.69548  1.518229   58.90    0.5456     35.769     45.865
43      -42.76309   0.49453  1.000000    0.00    0.0000     35.868      0.000
44      151.55145   6.51018  1.496999   81.54    0.5374     33.699     59.851
45      -36.61436   1.50000  1.882997   40.76    0.5667     33.149    -44.960
46     -449.26887   1.00055  1.000000    0.00    0.0000     32.904      0.000
47       79.39231   5.73260  1.522494   59.84    0.5439     32.441     83.644
48      -95.65061  10.00000  1.000000    0.00    0.0000     31.774      0.000
49        0.00000  33.00000  1.608590   46.44    0.5664     40.000      0.000
50        0.00000  13.20000  1.516330   64.14    0.5352     40.000      0.000
51        0.00000   0.00000  1.000000    0.00    0.0000     50.000      0.000
非球面データ
第15面
K =-5.67078e+002  A 4= 1.45820e-006  A 6=-8.19984e-010  A 8= 4.57496e-013
第22面
K =-2.72744e+001  A 4=-1.02316e-007  A 6=-2.24758e-012  A 8=-1.15884e-016
各種データ
ズーム比     80.00 
広角      中間      望遠
焦点距離       10.00     89.46    800.00
Fナンバー       1.80      1.80      4.20
画角           28.81      3.52      0.39
像高            5.50      5.50      5.50
レンズ全長    683.42    683.42    683.42
BF             14.96     14.96     14.96
d14             2.65    136.75    177.42
d21           276.48    107.28      4.73
d28            13.66      9.62      8.25
d31             4.83     43.97    107.23
d51            14.96     14.96     14.96
入射瞳位置    172.72    994.11   10385.21
射出瞳位置   8182.06   8182.06    8182.06
前側主点位置  182.73   1084.54   11263.57
後側主点位置    4.96    -74.49    -785.03
ズームレンズ群データ
群  始面    焦点距離  レンズ構成長  前側主点位置  後側主点位置
1    1     247.00       151.07        96.10        -23.17
2   15     -27.89        31.25         6.69        -16.09
3   22     114.48        32.57         4.01        -17.95
4   29     194.98        16.74         2.39         -8.02
5   32      60.17       139.20        60.62          7.45
【００８７】
（数値実施例５）
単位 mm
面データ
面番号      r         d        nd        vd       θgF     有効径   焦点距離
1     2436.20797   6.00000  1.639999   60.08    0.5370    207.998   -549.495
2      308.08263   1.60986  1.000000    0.00    0.0000    198.320      0.000
3      314.66392  18.64663  1.433870   95.10    0.5373    197.902    760.546
4     6332.28838   0.20000  1.000000    0.00    0.0000    196.364      0.000
5      603.08886   6.00000  1.854780   24.80    0.6122    192.014  -1102.556
6      367.40990   2.72065  1.000000    0.00    0.0000    190.412      0.000
7      393.10907  16.12824  1.433870   95.10    0.5373    190.991    816.634
8    -3637.88082  38.93074  1.000000    0.00    0.0000    191.144      0.000
9      321.03306  22.28825  1.433870   95.10    0.5373    193.803    627.474
10    -1782.98914   0.25000  1.000000    0.00    0.0000    193.066      0.000
11      285.32034  18.64551  1.433870   95.10    0.5373    187.904    706.555
12     3906.23867   1.20000  1.000000    0.00    0.0000    186.366      0.000
13      183.98953  13.15182  1.496999   81.54    0.5374    174.012    896.076
14      305.43046    (可変)  1.000000    0.00    0.0000    171.437      0.000
15      370.39834   2.35000  1.882997   40.76    0.5667     51.444    -61.390
16       47.38567  15.03937  1.000000    0.00    0.0000     44.955      0.000
17      -60.04212   1.45000  1.772499   49.60    0.5521     40.012    -36.883
18       55.29844   8.83280  1.808095   22.76    0.6307     39.213     39.663
19      -72.53083   1.58631  1.000000    0.00    0.0000     39.352      0.000
20      -52.23934   2.00000  1.696797   55.53    0.5433     39.307    -64.902
21      353.26772    (可変)  1.000000    0.00    0.0000     41.065      0.000
22      557.43254  10.67333  1.603112   60.64    0.5414     75.688    198.321
23     -151.94456   0.94219  1.000000    0.00    0.0000     77.124      0.000
24      156.10343  11.08587  1.438750   94.93    0.5343     79.115    225.538
25     -266.26098   0.45930  1.000000    0.00    0.0000     79.005      0.000
26      221.02580   2.50000  1.749505   35.33    0.5818     77.728   -182.001
27       84.28843   9.18283  1.438750   94.93    0.5343     75.648    260.668
28      307.64854    (可変)  1.000000    0.00    0.0000     75.386      0.000
29      126.06342   2.50000  1.846660   23.78    0.6205     75.169   -316.687
30       85.23121  16.00701  1.593490   67.00    0.5361     73.603    112.475
31     -291.09108    (可変)  1.000000    0.00    0.0000     72.500      0.000
32        0.00000   4.90749  1.000000    0.00    0.0000     33.107      0.000
33      -72.13544   1.80000  1.816000   46.62    0.5568     31.542    -39.850
34       60.43089   5.13557  1.808095   22.76    0.6307     31.235     59.455
35     -237.28216   7.55722  1.000000    0.00    0.0000     31.097      0.000
36      -28.78125   1.49977  1.816000   46.62    0.5568     30.322    -24.953
37       72.49578  10.08032  1.548141   45.79    0.5685     33.684     38.544
38      -28.55262  16.01812  1.000000    0.00    0.0000     34.979      0.000
39      194.31854   9.07524  1.531717   48.84    0.5630     38.558     68.490
40      -44.35136   1.49161  1.000000    0.00    0.0000     38.674      0.000
41     -104.49421   1.50000  1.882997   40.76    0.5667     36.439    -38.029
42       50.24421   8.69548  1.518229   58.90    0.5456     35.845     45.865
43      -42.76309   0.49453  1.000000    0.00    0.0000     35.944      0.000
44      151.55145   6.51018  1.496999   81.54    0.5374     33.774     59.851
45      -36.61436   1.50000  1.882997   40.76    0.5667     33.233    -44.960
46     -449.26887   1.00055  1.000000    0.00    0.0000     32.994      0.000
47       79.39231   5.73260  1.522494   59.84    0.5439     32.536     83.505
48      -95.29566  10.00000  1.000000    0.00    0.0000     31.877      0.000
49        0.00000  33.00000  1.608590   46.44    0.5664     40.000      0.000
50        0.00000  13.20000  1.516330   64.14    0.5352     40.000      0.000
51        0.00000   0.00000  1.000000    0.00    0.0000     50.000      0.000
非球面データ
第15面
K =-2.83227e+002  A 4= 1.27013e-006  A 6=-5.69599e-010  A 8= 3.15356e-013
第22面
K =-1.31199e+002  A 4=-2.47168e-008  A 6=-1.51931e-011  A 8= 2.47286e-015
各種データ
ズーム比     80.00 
広角      中間       望遠
焦点距離       10.00     89.42     800.00
Fナンバー       1.80      1.80       4.20
画角           28.81      3.52       0.39
像高            5.50      5.50       5.50
レンズ全長    698.44    698.44     698.44
BF             15.16     15.16      15.16
d14             3.00    143.45     181.96
d21           281.16    115.58      14.93
d28            24.13      7.35       1.48
d31             5.41     47.33     115.33
d51            15.16     15.16      15.16
入射瞳位置    166.83   1085.00   10843.19
射出瞳位置   6999.93   6999.93    6999.93
前側主点位置  176.84   1175.57   11734.82
後側主点位置    5.16    -74.26    -784.84
ズームレンズ群データ
群  始面    焦点距離  レンズ構成長  前側主点位置  後側主点位置
1    1     252.00       145.77        88.51        -22.57
2   15     -26.50        31.26         9.25        -12.90
3   22     126.28        34.84         3.87        -19.27
4   29     174.93        18.51         3.37         -8.21
5   32      60.04       139.20        60.56          7.35
【００８８】
【表１】
0006544975.tif 000003
【符号の説明】
【００８９】
Ｕ１  第１レンズ群
Ｕ２  第２レンズ群
Ｕ３  第３レンズ群
Ｕ４  第４レンズ群
Ｕ５  第５レンズ群
ＳＰ  開口絞り
ＩＰ  像面
【図１】
0006544975.tif 000004
【図２】
0006544975.tif 000005
【図３】
0006544975.tif 000006
【図４】
0006544975.tif 000007
【図５】
0006544975.tif 000008
【図６】
0006544975.tif 000009
【図７】
0006544975.tif 000010
【図８】
0006544975.tif 000011
【図９】
0006544975.tif 000012
【図１０】
0006544975.tif 000013
【図１１】
0006544975.tif 000014